(57)【要約】【課題】クローズ状態を加減する操作感およびこの操作感に応じた楽音を発生させることができる電子ハイハットを提供する。【解決手段】電子ハイハット１００は、演奏者の足踏み操作により上下動する上下動ロッド１１１にトップシンバル１０１を備えている。上下動ロッド１１１とトップシンバル１０１との間には弾性変形可能な弾性抵抗体１０３が設けられている。また、電子ハイハット１００は、上下動ロッド１１１を支持する固定パイプ１１２にトップシンバル１０１に対向した状態でボトム台座１３０を備えている。ボトム台座１３０には、下降するトップシンバル１０１を受け止める下降抵抗体１３７および上下動ロッド１１１の上下方向の位置を検出するための光センサ１３２が設けられている。【選択図】  図２
2018124536.tif 000002
【特許請求の範囲】
【請求項１】
演奏者によって叩かれる打面を構成するトップシンバルと、
棒状に形成されて前記演奏者によるペダル操作に応じて上下動することにより前記トップシンバルを上下動可能に支持する上下動ロッドとを備えた電子ハイハットであって、
前記上下動ロッドの下降範囲の途中に設けられて前記演奏者に対して前記ペダル操作の妨げとなる程度の抵抗を上下動ロッドに与える下降抵抗体と、
前記下降抵抗体より更に下降する前記上下動ロッドに対して弾性的な抵抗力を与える弾性抵抗体と、
前記上下動ロッドの上下方向の位置を検出するための上下位置検出器とを備えることを特徴とする電子ハイハット。
【請求項２】
請求項１に記載した電子ハイハットにおいて、さらに、
前記トップシンバルよりも上方の前記上下動ロッドの外周面上に軸方向に直交する方向に張り出す押圧体を備え、
前記下降抵抗体は、
前記トップシンバルに対して下方に設けられて同トップシンバルの下降を阻止するものであり、
前記弾性抵抗体は、
前記押圧体と前記トップシンバルとの間に設けられた弾性体で構成されていることを特徴とする電子ハイハット。
【請求項３】
請求項１または請求項２に記載した電子ハイハットにおいて、
前記上下動ロッドの上下動範囲における上限位置から前記下降抵抗体による抵抗を受ける位置までの第１ストロークおよび同上下動ロッドの上下動範囲における前記下降抵抗体による抵抗を受ける位置から下限位置までの第２ストロークのうちの同第２ストロークは、前記第１ストロークよりも短いことを特徴とする電子ハイハット。
【請求項４】
請求項１ないし請求項３のうちのいずれか１つに記載した電子ハイハットにおいて、
前記第２ストロークは、３０ｍｍ以下であることを特徴とする電子ハイハット。
【請求項５】
請求項１ないし請求項４のうちのいずれか１つに記載した電子ハイハットにおいて、
前記弾性抵抗体は、
前記上下動ロッドの外側にリング状に形成されていることを特徴とする電子ハイハット。
【発明の詳細な説明】
【技術分野】
【０００１】
本発明は、電子回路を用いてアコースティックのハイハットを電子的に実現した電子ハイハットに関する。
【背景技術】
【０００２】
従来から、電子回路を用いてアコースティックのハイハットを電子的に実現した電子ハイハットがある。例えば、下記特許文献１には、ハイハットにおける上側のシンバルであるトップシンバルの下方にハイハットにおける下側のシンバルであるボトムシンバルに代えてトップシンバルの下降を検出する変位検出装置を備えた電子ハイハットが開示されている。この場合、変位検出装置は、演奏者のペダル操作によってトップシンバルとともに一体的に下降する回転抑制部が変位検出装置の上端部を構成する上側アクチュエータを押し下げることでトップシンバルの下降位置を検出している。
【先行技術文献】
【特許文献】
【０００３】
【特許文献１】特開２００６−２００９６５号公報
【０００４】
しかしながら、上記特許文献１に記載された電子ハイハットにおいては、トップシンバルが下降して台座部に突き当たったトップシンバルのクローズ状態までの位置を検出するのみでクローズ状態の強さに応じた楽音を発生させることができないという問題ある。一般に、アコースティックハイハットにおいては、上下２枚のシンバルを合わせたクローズ状態で叩打された場合、クローズ状態の強さに応じた楽音が生じる。例えば、上下２枚のシンバルを強く押し付けあわせた強いクローズ状態のアコースティックハイハットを叩打した場合においては、「チッ、チッ、チッ」という余韻が殆どない金属音が発生するとともに、その金属音はクローズ状態の強さが強いほど音程が上がる性質がある。
【０００５】
本発明は上記問題に対処するためなされたもので、その目的は、クローズ状態を加減する操作感およびこの操作感に応じた楽音を発生させることができる電子ハイハットを提供することにある。
【発明の概要】
【０００６】
上記目的を達成するため、本発明の特徴は、演奏者によって叩かれる打面を構成するトップシンバルと、棒状に形成されて演奏者によるペダル操作に応じて上下動することによりトップシンバルを上下動可能に支持する上下動ロッドとを備えた電子ハイハットであって、上下動ロッドの下降範囲の途中に設けられて演奏者に対してペダル操作の妨げとなる程度の抵抗を上下動ロッドに与える下降抵抗体と、下降抵抗体より更に下降する上下動ロッドに対して弾性的な抵抗力を与える弾性抵抗体と、上下動ロッドの上下方向の位置を検出するための上下位置検出器とを備えることにある。
【０００７】
このように構成した本発明の特徴によれば、電子ハイハットは、上下動ロッドが下降して下降抵抗体に達した際にその位置の検出情報を出力するとともに演奏者に対してペダル操作の妨げとなる程度の抵抗を生じさせてトップシンバルがクローズ状態になったことを認識させることができる。また、電子ハイハットは、演奏者による更なるペダル操作に対して上下動ロッドの位置の検出情報を出力するとともに弾性抵抗体によって弾性的な抵抗力を発生させて演奏者に対してクローズ状態を強める操作感を与えることができる。これらによって、本発明に係る電子ハイハットにおいては、クローズ状態を加減する操作感およびこの操作感に応じた楽音を発生させることができる。
【０００８】
また、本発明の他の特徴は、前記電子ハイハットにおいて、さらに、トップシンバルよりも上方の上下動ロッドの外周面上に軸方向に直交する方向に張り出す押圧体を備え、下降抵抗体は、トップシンバルに対して下方に設けられて同トップシンバルの下降を阻止するものであり、弾性抵抗体は、押圧体とトップシンバルとの間に設けられた弾性体で構成されていることにある。
【０００９】
このように構成した本発明の他の特徴によれば、電子ハイハットは、下降抵抗体がトップシンバルの下降を阻止するとともに、弾性抵抗体が上下動ロッドに設けられた押圧体とトップシンバルとの間に設けられた弾性体で構成されているため、演奏者はトップシンバルがクローズ状態になっていることを視覚的に確認しながら演奏することができ、よりアコースティックハイハットに近い演奏感を得ることができる。
【００１０】
また、本発明の他の特徴は、前記電子ハイハットにおいて、上下動ロッドの上下動範囲における上限位置から下降抵抗体による抵抗を受ける位置までの第１ストロークおよび同上下動ロッドの上下動範囲における下降抵抗体による抵抗を受ける位置から下限位置までの第２ストロークのうちの同第２ストロークは、第１ストロークよりも短いことにある。
【００１１】
このように構成した本発明の他の特徴によれば、電子ハイハットは、上下動ロッドの上限位置と下降抵抗体による抵抗付与位置との間の第１ストロークおよびこの下降抵抗体による抵抗付与位置と上下動ロッドの下限位置との間の第２ストロークのうちの同第２ストロークが第１ストロークよりも短いため、よりアコースティックハイハットに近い演奏感を得ることができる。
【００１２】
また、本発明の他の特徴は、前記電子ハイハットにおいて、第２ストロークは、３０ｍｍ以下であることにある。
【００１３】
このように構成した本発明の他の特徴によれば、電子ハイハットは、第２ストロークが３０ｍｍ以下であるため、よりアコースティックハイハットに近い演奏感を得ることができる。なお、この場合、第２ストロークは、５ｍｍ以上かつ３０ｍｍ以下に設定するとよい。
【００１４】
また、本発明の他の特徴は、前記電子ハイハットにおいて、弾性抵抗体は、上下動ロッドの外側にリング状に形成されていることにある。
【００１５】
このように構成した本発明の他の特徴によれば、電子ハイハットは、弾性抵抗体が上下動ロッドの外側にリング状に形成されているため、上下動ロッドを傾斜させることなく垂直方向に安定的に上下動させることができるとともに、トップシンバルの叩打による揺れを均等にしてアコースティックハイハットに近い演奏感を得ることができる。
【図面の簡単な説明】
【００１６】
【図１】本発明の実施形態に係る電子ハイハットの外観構成の概略を示す斜視図である。
【図２】図１に示す電子ハイハットにおけるトップシンバルがオープン状態の内部構成の概略を示す断面図である。
【図３】図２に示す電子ハイハットにおける弾性抵抗体の外観および内部の各構成を説明するために弾性抵抗体を半分に割った状態を示す破断斜視図である。
【図４】図１に示す電子ハイハットにおけるトップシンバルがクローズ状態およびより強いクローズ状態の各内部構成の概略を示す断面図である。
【図５】本発明の変形例に係る電子ハイハットにおけるトップシンバルがオープン状態の内部構成の概略を示す断面図である。
【図６】図５に示す電子ハイハットにおけるトップシンバルがクローズ状態およびより強いクローズ状態の各内部構成の概略を示す断面図である。
【図７】本発明の他の変形例に係る電子ハイハットにおけるトップシンバルがオープン状態の内部構成の概略を示す断面図である。
【図８】図７に示す電子ハイハットにおけるトップシンバルがクローズ状態およびより強いクローズ状態の各内部構成の概略を示す断面図である。
【発明を実施するための形態】
【００１７】
以下、本発明に係る電子ハイハットの実施形態について図面を参照しながら説明する。図１は、本発明に係る電子ハイハット１００の外観構成の概略を模式的に示した斜視図である。また、図２は、図１に示す電子ハイハット１００の内部構成の概略を示す断面図である。なお、本明細書において参照する図は、本発明の理解を容易にするために一部の構成要素を誇張して表わすなど模式的に表している。このため、各構成要素間の寸法や比率などは異なっていることがある。この電子ハイハット１００は、演奏者（図示せず）がスティック（図示せず）を介して叩いた打面の衝撃を検出して電子的な楽音を発生させる電子打楽器である。
【００１８】
（電子ハイハット１００の構成）
電子ハイハット１００は、主として、トップシンバル１０１、スタンド１１０およびボトム台座１３０を備えている。トップシンバル１０１は、演奏者による叩く操作によって振動する部品であり、アコースティックハイハットを構成する上下一対のシンバルのうちの上側に配置されたシンバルに相当する。このトップシンバル１０１は、上方に向かって凸状に湾曲するとともに平面視で円形の板状体で構成されており、ベース体１０２、叩打センサ１０４、パッド１０５および裏面カバー１０６をそれぞれ備えている。
【００１９】
ベース体１０２は、トップシンバル１０１を形作る芯材となる部品であり、金属材または樹脂材を上方に向かって凸状に湾曲するとともに平面視で円環状の板状体に形成して構成されている。このベース体１０２は、中央部に取付孔１０２ａが形成されているとともに、ベース体１０２の裏面１０２ｂにおける取付孔１０２ａの周囲に凹状に凹んだ取付部１０２ｃが形成されている。取付孔１０２ａは、トップシンバル１０１を所定の高さ位置に支持するための棒状の上下動ロッド１１１が貫通する部分である。この取付孔１０２ａの図示上側の端面には、弾性抵抗体１０３が設けられている。
【００２０】
弾性抵抗体１０３は、図３に示すように、ベース体１０２を上下動ロッド１１１に取り付けるとともにトップシンバル１０１に対して上下動ロッド１１１を上下方向に変位させるための部品であり、ゴム材または発泡樹脂材などからなる弾性体を平面視で円形のリング状に形成して構成されている。より具体的には、弾性抵抗体１０３は、主として、変形部１０３ａと連結部１０３ｂとで構成されている。
【００２１】
変形部１０３ａは、緩衝押圧体１１６ａ，１１６ｂによって押圧されることで上下方向に弾性的に圧縮変形する部分であり、平面視で円形のリング状に形成されている。この場合、変形部１０３ａは、周方向に延びる部分の断面形状が径方向外側に開口する略Ｃ字状に形成されており、同部分の内部に形成された空洞部が上下動ロッド１１１の外周部を囲む筒体で構成されている。この変形部１０３ａは、外径が取付孔１０２ａよりも小径に形成されるとともに、内径が上下動ロッド１１１の外径よりも大径に形成されている。
【００２２】
連結部１０３ｂは、変形部１０３ａをベース体１０２に取り付けた状態で上下動ロッド１１１の外周部に配置するための部分であり、変形部１０３ａの径方向外側部分がフランジ状に張り出す平面視で円形のリング状に形成されている。この場合、連結部１０３ｂは、上下方向に２つの平板リング体が対向配置されて構成されている。これらの変形部１０３ａおよび連結部１０３ｂは、コンプレッション成形、トランスファー成形、インジェクション成形または押出し成形などを用いて両者が一体的に成形されて弾性抵抗体１０３を一体的に構成している。この弾性抵抗体１０３は、ボルトによってベース体１０２に固定的に取り付けられている。
【００２３】
ここで、弾性抵抗体１０３の上下方向の圧縮変形量が上下動ロッド１１１の第２ストロークＳｔ２である。そして、この第２ストロークＳｔ２は、後述する第１ストロークＳｔ１よりも短く設定されている。本実施形態においては、第２ストロークＳｔ２は、３０ｍｍに設定されている。
【００２４】
一方、ベース体１０２の裏面１０２ｂにおける取付部１０２ｃには、叩打センサ１０４が設けられている。叩打センサ１０４は、トップシンバル１０１の振動を検出する検出器であり、ベース体１０２の振動に応じた電気信号からなる検出信号を外部接続端子１０７を介して図示しない信号処理装置に出力する。本実施形態においては、叩打センサ１０４は、圧電セラミックスの両面にそれぞれ電極を配置するとともに、これらの電極の一方に金属板を配置したピエゾ素子によって構成されている。この叩打センサ１０４は、図示しない信号線を介して外部接続端子１０７に接続された状態で取付部１０２ｃに両面粘着テープによって取り付けられている。
【００２５】
ここで、信号処理装置は、電子ハイハット１００とは別体で設けられるマイクロコンピュータを備えて構成されており、叩打センサ１０４および光センサ１３２からそれぞれ出力される検出信号に基づいて楽音信号を出力する電子回路、すなわち、音源である。この場合、信号処理装置は、上下動ロッド１１１の上下方向の位置に応じた楽音信号を出力する。この信号処理装置には、図示しない外部スピーカが接続されている。また、信号処理装置は、電力供給源（例えば、家庭用１００Ｖ電源）から図示しない電源コードを介して電力の供給を受けて後述する光センサ１３２にも電力を供給する。
【００２６】
パッド１０５は、演奏者がスティックなどを用いて叩く打面を構成する部分であり、ゴム材または発泡樹脂材などからなる弾性体をベース体１０２の上面および外縁部をそれぞれ覆う円環状に形成して構成されている。なお、トップシンバル１０１は、本実施形態においては、ベース体１０２およびパッド１０５の２種の材料で構成されているが、１種の材料、例えば、樹脂材料のみまたは樹脂材料を含む繊維強化プラスチックのみで構成することもできる。
【００２７】
裏面カバー１０６は、ベース体１０２の裏面１０２ｂに取り付けられて取付部１０２ｃおよびこの取付部１０２ｃに取り付けられた叩打センサ１０４をそれぞれ覆うとともに外部接続端子１０７を収納する部品であり、樹脂材を平面視で円筒状に形成して構成されている。この場合、裏面カバー１０６は、外部接続端子１０７を外部に露出させた状態で収納している。この裏面カバー１０６は、図示しない取付ボルトによってベース体１０２の裏面１０２ｂに取り付けられている。
【００２８】
外部接続端子１０７は、叩打センサ１０４から出力される検出信号を電子ハイハット１００の外部に設けられる信号処理装置に対して出力するために信号処理装置と叩打センサ１０４とを着脱自在に接続するためのジャック型のインターフェースである。
【００２９】
スタンド１１０は、トップシンバル１０１およびボトム台座１３０をそれぞれ支持するための器具であり、主として、上下動ロッド１１１、固定パイプ１１２、ペダル１１３およびベース台１１４をそれぞれ備えて構成されている。
【００３０】
上下動ロッド１１１は、トップシンバル１０１を上下方向に変位させるための部品であり、上下方向に延びる金属製の棒体で構成されている。この上下動ロッド１１１は、起立した姿勢で固定パイプ１１２を貫通して同固定パイプ１１２に支持された状態で、上端部側がクラッチ１１５を介してトップシンバル１０１を支持するとともに下端部がペダル１１３に連結されている。この場合、上下動ロッド１１１は、固定パイプ１１２内に配置される図示しないコイルスプリングによって上方に向かって弾性的に押し上げられている。これにより、上下動ロッド１１１は、演奏者によるペダル１１３の操作に応じて上下動することによりトップシンバル１０１を上下動させる。
【００３１】
固定パイプ１１２は、上下動ロッド１１１およびボトム台座１３０をそれぞれ支持する部品であり、上下方向に延びる金属製の円筒体で構成されている。この固定パイプ１１２は、ベース台１１４に起立した姿勢で支持されるとともに、上端部に形成された厚板状の支持台１１２ａ上にボトム台座１３０を支持している。
【００３２】
ペダル１１３は、演奏者（図示せず）の足による踏み込み操作によって上下動ロッド１１１を上下動させるための部品であり、金属製の板状体で構成されている。このペダル１１３は、一方の端部がベース台１１４に対して上下方向に回動自在に連結されているとともに、他方の端部が金属製のベルトを介して上下動ロッド１１１に連結されている。この場合、ペダル１１３は、図示しないコイルスプリングによって上方に押し上げられた上下動ロッド１１１によって先端部側からベース台１１４側に向かって下り傾斜の姿勢となっている。
【００３３】
ベース台１１４は、電子ハイハット１００を設置する床面上に固定パイプ１１２およびペダル１１３をそれぞれ支持する部品である。このベース台１１４は、金属製の板状体における一方の端部にペダル１１３を回動自在な状態で支持するとともに、他方の端部側に門型に起立した支持柱１１４ａによって固定パイプ１１２を支持している。
【００３４】
クラッチ１１５は、上下動ロッド１１１にトップシンバル１０１および反射体ホルダ１２０をそれぞれ一体的に連結するための部品であり、上下動ロッド１１１が貫通する金属製の円筒体で構成されている。このクラッチ１１５は、上端部側の外周面にネジ嵌合した状態で貫通するロックネジ１１５ａによって上下動ロッド１１１に固定されているとともに、下端部に反射体ホルダ１２０がネジ嵌合を介して取り付けられている。また、クラッチ１１５の上下方向中央部には、上下一対の緩衝押圧体１１６ａ，１１６ｂおよび押圧体１１７がそれぞれ設けられている。
【００３５】
上下一対の緩衝押圧体１１６ａ，１１６ｂは、弾性抵抗体１０３を上下方向から挟んで保持するための部品であり、それぞれフェルト材をリング状に形成して構成されている。この場合、緩衝押圧体１１６ａ，１１６ｂは、内径が上下動ロッド１１１の外径と略同一の大きさに形成されて上下動ロッド１１１の外周面に摺動自在に嵌合している。
【００３６】
押圧体１１７は、弾性抵抗体１０３を挟んだ状態の上下一対の緩衝押圧体１１６ａ，１１６ｂを反射体ホルダ１２０側に押圧することで２つの緩衝押圧体１１６ａ，１１６ｂで弾性抵抗体１０３を圧迫するための部品であり、クラッチ１１５の外周面にネジ嵌合する金属製のナットで構成されている。すなわち、上下動ロッド１１１は、押圧体１１７と反射体ホルダ１２０とで上下一対の緩衝押圧体１１６ａ，１１６ｂを挟むことで弾性抵抗体１０３を挟んでトップシンバル１０１を保持している。
【００３７】
反射体ホルダ１２０は、反射体１２１を保持するとともに上下動ロッド１１１上でトップシンバル１０１を支持するための部品であり、樹脂材を円筒形に形成して構成されている。より具体的には、反射体ホルダ１２０は、クラッチ１１５の下端部にネジ嵌合してトップシンバル１０１を支持する円筒状の胴部１２０ａと、この胴部１２０ａの下端部にフランジ状に張り出して平板リング状に形成された保持部１２０ｂとで構成されている。そして、この保持部１２０ｂには、下方に面して反射体１２１が設けられている。
【００３８】
反射体１２１は、後述する光センサ１３２から照射される光を同光センサ１３２側に反射させるための部品であり、樹脂材を平板リング状に形成して構成されている。この場合、反射体１２１の板面は、入射光を全反射させる鏡面状に形成されていてもよいが、入射光を拡散反射させるように構成するとよい。例えば、反射体１２１の板面は、平滑な面または梨地面に淡色系（例えば、白色）の色で構成するとよい。
【００３９】
また、反射体１２１は、この反射体１２１に対向配置される光センサ１３２を覆うように光センサ１３２よりも径方向外側に広がる外径に形成されている。この反射体１２１は、反射体ホルダ１２０の保持部１２０ｂに接着剤または両面テープで取り付けられている。なお、この反射体１２１は、本実施形態においては、板状に形成したがブロック状、シート状、フィルム状または膜状（例えば、塗膜）で構成されていてもよい。
【００４０】
ボトム台座１３０は、アコースティックハイハットを構成する上下一対のシンバルのうちの下側に配置されたシンバルに相当する部品であり、トップシンバル１０１の真下に設けられている。このボトム台座１３０は、固定支持体１３１および上側ケース１３５をそれぞれ備えている。固定支持体１３１は、光センサ１３２および外部接続端子１３４を収容しつつ固定パイプ１１２の支持台１１２ａに載置される樹脂製の部品であり、平板リング体における内側部分が上下動ロッド１１１が貫通する筒状に形成されるとともに外縁部が上方に立ち上った壁部を有した形状に形成されている。すなわち、固定支持体１３１は、上下動ロッド１１１の可動方向である上下方向に不動な状態でかつトップシンバル１０１の周方向と同じ方向に回転自在な状態で支持台１１２ａを介して固定パイプ１１２に支持されている。
【００４１】
光センサ１３２は、上下動ロッド１１１の上下方向の位置を光学的に検出するための検出器であり、主として発光部１３２ａと受光部１３２ｂとをそれぞれ備えて構成されている。発光部１３２ａは、反射体１２１に向けて光を照射する発光素子である。本実施形態においては、発光部１３２ａは、赤外線を発光するＬＥＤによって構成されている。受光部１３２ｂは、受光した光の光量に応じた電気信号を出力する受光素子によって構成されている。本実施形態においては、受光部１３２ｂは、赤外線を受光するフォトトランジスタによって構成されている。
【００４２】
これらの発光部１３２ａおよび受光部１３２ｂは、直方体状の１つの樹脂製のハウジング内に発光素子および受光素子が露出した状態で収納されて光センサ１３２を一体的に構成している。そして、この光センサ１３２は、固定支持体１３１内に設けられた平面視で平板リング状に形成されて固定支持体１３１内に支持されたプリント基板１３３上に電気的に取り付けられている。
【００４３】
この場合、光センサ１３２は、発光部１３２ａおよび受光部１３２ｂが反射体１２１に対向する位置および向きでプリント基板１３３上に支持されている。また、光センサ１３２は、発光部１３２ａと受光部１３２ｂとが固定支持体１３１の径方向に並んで配置されている。そして、この光センサ１３２は、プリント基板１３３を介して外部接続端子１３４に電気的に接続される。
【００４４】
なお、この光センサ１３２は、発光部１３２ａと受光部１３２ｂとが固定支持体１３１の周方向に並んで配置されていてもよい。また、発光部１３２ａは、赤外線以外の波長の光、例えば、可視光を発光する光源であってもよい。また、受光部１３２ｂは、受光光量以外を検出、例えば、光の受光位置を検出してもよいし、受光部１３２ｂが発光した光を受光するまでの時間を検出するようにしてもよい。
【００４５】
外部接続端子１３４は、光センサ１３２から出力される検出信号を電子ハイハット１００の外部に設けられる信号処理装置に対して出力するとともに信号処理装置から電源の供給を受けるために信号処理装置と光センサ１３２とを着脱自在に接続するためのジャック型のインターフェースである。この外部接続端子１３４は、接続部が固定支持体１３１の壁部を貫通して外部に露出した状態で固定支持体１３１内に収納されている。
【００４６】
上側ケース１３５は、固定支持体１３１の上部を覆うとともにブッシュ１３６および下降抵抗体１３７をそれぞれ支持するための樹脂製の部品であり、主として、覆い部１３５ａと筒壁部１３５ｂとで構成されている。覆い部１３５ａは、固定支持体１３１の上部を覆う部分であり、平板リング体における内側部分が上下動ロッド１１１が貫通する筒状に形成されるとともに外縁部が下方に下垂した壁部を有した形状に形成されている。この覆い部１３５ａの天井部分には、光センサ１３２を反射体１２１に対して露出させるための貫通孔状の開口窓１３５ｃが形成されている。
【００４７】
筒壁部１３５ｂは、光センサ１３２の周囲を囲うとともにブッシュ１３６および下降抵抗体１３７をそれぞれ支持するための部分であり、上方に延びる円筒状に形成されている。この場合、筒壁部１３５ｂは、内径が反射体１２１の外径よりも大きく形成されるとともに、高さ（深さ）が反射体１２１の上下方向のストロークよりも長く形成されている。また、筒壁部１３５ｂの底部（前記覆い部の天井部の上面）には、同底部から露出する光センサ１３２を覆う樹脂製の透明な板材（図示せず）が設けられており光センサ１３２を保護している。
【００４８】
ブッシュ１３６は、下降抵抗体１３７を弾性的に支持して下降抵抗体１３７に裏面カバー１０６が衝突した際の衝撃を緩和するための部品であり、ゴム材をリング状に形成して構成されている。この場合、ブッシュ１３６は、外周面における中央部が周方向に沿って凹んで形成されており、この凹んだ部分に下降抵抗体１３７が嵌め込まれて下降抵抗体１３７を弾性的に支持している。このブッシュ１３６は、筒壁部１３５ｂの外周部に嵌め込まれた状態で筒壁部１３５ｂの上端面に取り付けられるリング状の金属製プレートによって筒壁部１３５ｂの外周面上に固定的に取り付けられている。
【００４９】
下降抵抗体１３７は、図４に示すように、下降するトップシンバル１０１の裏面カバー１０６を受け止めてストッパとして機能する部品であり、樹脂材を上方に向かって広がる円筒状に形成して構成されている。この下降抵抗体１３７は、下端部が前記ブッシュ１３６に嵌合した状態で支持されることにより、ボトム台座１３０側に下降してきたトップシンバル１０１を弾性的に受け止める。ここで、上限位置にあるトップシンバル１０１（オープン状態）の裏面カバー１０６の下面と下降抵抗体１３７の上面との距離が上下動ロッド１１１の第１ストロークＳｔ１である。
【００５０】
（電子ハイハット１００の作動）
次に、このように構成した電子ハイハット１００の作動について説明する。まず、演奏者は、トップシンバル１０１およびボトム台座１３０をスタンド１１０に組み付けて電子ハイハット１００を組み立てた後、外部接続端子１０７，１３４と信号処理装置とを図示しないケーブルを介して電気的に接続して電子ハイハット１００を演奏可能な状態とする。この場合、ボトム台座１３０内の光センサ１３２は、信号処理装置からの電源供給を受けて発光部１３２ａが発光するとともに受光部１３２ｂが受光量に応じた検出信号を外部接続端子１３４を介して信号処理装置に出力する。
【００５１】
次に、演奏者は、電子ハイハット１００を演奏する。具体的には、演奏者は、スティックを用いてトップシンバル１０１を叩く。これにより、叩打センサ１０４は、パッド１０５およびベース体１０２をそれぞれ介して伝搬した振動に応じた検出信号を外部接続端子１０７を介して信号処理装置に出力する。また、ボトム台座１３０に設けられた光センサ１３２は、発光部１３２ａから発して反射体１２１で反射されて受光部１３２ｂによって受光された光の受光量に応じた検出信号を外部接続端子１３４を介して信号処理装置に出力する（図２、図４および図５において破線矢印参照）。
【００５２】
これにより、信号処理装置は、叩打センサ１０４および光センサ１３２からそれぞれ得た検出信号に基づいて楽音を表す楽音信号を生成して外部スピーカに出力する。具体的には、信号処理装置は、光センサ１３２から得た検出信号に基づいてトップシンバル１０１の上下方向の位置を特定してトップシンバル１０１がボトム台座１３０に接している否かを判定するとともに、この判定結果、すなわちトップシンバル１０１の接触状態ごとに叩打センサ１０４から得た検出信号に応じた強さおよび音色の楽音信号を生成する。例えば、信号処理装置は、トップシンバル１０１がボトム台座１３０に接していないと判定した場合には、トップシンバル１０１がボトム台座１３０に接していない場合の楽音信号を生成する。
【００５３】
一方、電子ハイハット１００の演奏時において演奏者がペダル１１３を踏み込んだ場合には、電子ハイハット１００は上下動ロッド１１１の下降を介してトップシンバル１０１が下降してボトム台座１３０の下降抵抗体１３７に衝突して下降が阻止される（図４における左半分の図参照）。これにより、演奏者は、トップシンバル１０１がクローズ状態（アコースティックハイハットにおいて上下２枚のシンバルを合わさった状態）になったことペダル操作を介して認識する。なお、この上下動ロッド１１１の下降の際、弾性抵抗体１０３は押圧体１１７および緩衝押圧体１１６ａを介して押圧されるが、この押圧力よりも高い剛性を有して構成されるため、上下動ロッド１１１の下降に際して圧縮変形されることはない。
【００５４】
この場合、反射体１２１は、上下動ロッド１１１に対して固定的に組付けられた反射体ホルダ１２０に設けられているため、上下動ロッド１１１の下降とともに筒壁部１３５ｂ内を光センサ１３２側に向かって下降する。また、反射体１２１は、反射体ホルダ１２０がトップシンバル１０１ではなく上下動ロッド１１１に取り付けられているため、トップシンバル１０１の叩打による振動および姿勢変化を抑えて下降することができる。
【００５５】
すなわち、反射体１２１は、演奏者によるペダル１１３の踏み込みによって姿勢を保った状態で光センサ１３２に接近する。したがって、光センサ１３２は、接近してくる反射体１２１の位置に応じた検出信号を外部接続端子１３４を介して信号処理装置に出力する。これにより、信号処理装置は、トップシンバル１０１がボトム台座１３０に接触したと判定した場合には、トップシンバル１０１がクローズ状態になった場合の楽音信号を生成する。これらの結果、電子ハイハット１００は、演奏者の演奏操作に応じた楽音を外部スピーカから出力することができる。
【００５６】
次いで、演奏者がペダル１１３を更に強く踏み込んだ場合には、電子ハイハット１００は、上下動ロッド１１１が更に下降しようとする。この場合、トップシンバル１０１は、裏面カバー１０６が下降抵抗体１３７に突き当たって下降が阻止されているため更なる下降が不能な状態である。一方、上下動ロッド１１１は、押圧体１１７が緩衝押圧体１１６ａを介して押さえる弾性抵抗体１０３が弾性体で構成されているため、この弾性抵抗体１０３が圧縮変形することで更に下降する（図４における右半分の図参照）。本実施形態においては、上下動ロッド１１１は、裏面カバー１０６が下降抵抗体１３７に突き当たったクローズ状態から更に３０ｍｍ下降することができる。
【００５７】
これにより、光センサ１３２は、筒壁部１３５ｂ内を光センサ１３２側に向かって更に下降する反射体１２１の位置に応じた検出信号を外部接続端子１３４を介して信号処理装置に出力する。これにより、信号処理装置は、トップシンバル１０１がボトム台座１３０に接触した位置よりも更に下方に位置したと判定した場合には、トップシンバル１０１がより強いクローズ状態となった場合の楽音信号を生成する。これらの結果、電子ハイハット１００は、演奏者の演奏操作に応じた楽音を外部スピーカから出力することができる。
【００５８】
なお、この強いクローズ状態において演奏者は、トップシンバル１０１が下降抵抗体１３７に突き当たって下降せず不動状態であるが、弾性抵抗体１０３を圧縮変形させるためにより強く踏み込むペダル操作によってより強いクローズ状態に移行したことをこのペダル操作を介して認識することができる。
【００５９】
次いで、演奏者がペダル１１３の踏み込みを弱くまたは解除した場合には、電子ハイハット１００は、上下動ロッド１１１が弾性抵抗体１０３および固定パイプ１１２内に配置されたコイルスプリング（図示せず）の各弾性力によって上昇する。これにより、光センサ１３２は、筒壁部１３５ｂ内を光センサ１３２から離隔する方向に上昇する反射体１２１の位置に応じた検出信号を外部接続端子１３４を介して信号処理装置に出力する。これにより、信号処理装置は、トップシンバル１０１が上下方向の位置に応じた楽音信号を生成する。これらの結果、電子ハイハット１００は、演奏者の演奏操作に応じた楽音を外部スピーカから出力することができる。
【００６０】
次に、演奏者は、電子ハイハット１００の演奏を終える場合には、電子ハイハット１００と信号処理装置との電気的な接続を外した後、トップシンバル１０１およびボトム台座１３０をスタンド１１０から取り外す。これにより、演奏者は、電子ハイハット１００の演奏を終了することができる。
【００６１】
上記作動説明からも理解できるように、上記実施形態によれば、電子ハイハット１００は、上下動ロッド１１１が下降して下降抵抗体１３７に達した際にその位置の検出情報を出力するとともに演奏者に対してペダル操作の妨げとなる程度の抵抗を生じさせてトップシンバル１０１がクローズ状態になったことを認識させることができる。また、電子ハイハット１００は、演奏者による更なるペダル操作に対して上下動ロッド１１１の位置の検出情報を出力するとともに弾性抵抗体１０３によって弾性的な抵抗力を発生させて演奏者に対してクローズ状態を強める操作感を与えることができる。これらによって、本発明に係る電子ハイハット１００においては、クローズ状態を加減する操作感およびこの操作感に応じた楽音を発生させることができる。
【００６２】
さらに、本発明の実施にあたっては、上記実施形態に限定されるものではなく、本発明の目的を逸脱しない限りにおいて種々の変更が可能である。なお、下記各変形例において、上記実施形態と同様の構成部分については同じ符号を付して、その説明を省略する。
【００６３】
例えば、上記実施形態においては、弾性抵抗体１０３は、変形部１０３ａおよび連結部１０３ｂをそれぞれ備えて平面視で円環状に構成した。しかし、弾性抵抗体１０３は、上下動ロッド１１１が下降抵抗体１３７によって更なる下降が妨げられた状態において弾性変形するように構成されていれば、必ずしも上記実施形態に限定されるものではない。
【００６４】
したがって、弾性抵抗体１０３は、例えば、図５および図６にそれぞれ示すように、ゴム材または発泡樹脂材などからなる弾性体を円筒形に形成して構成することができる。また、弾性抵抗体１０３は、例えば、図７および図８にそれぞれ示すように、樹脂材や金属材などからなるコイルスプリングで構成することもできる。これらの場合、ベース体１０２は、取付孔１０２ａの孔径を小さく形成して円筒状またはコイルバネ状の弾性抵抗体１０３を下方から支持する支持部１０２ｄを形成するとよい。これらの場合、各弾性抵抗体１０３は、支持部１０２ｄ上に固定的または非固定的（単に載置）に配置することができる。また、これらの場合、緩衝押圧体１１６ａ，１１６ｂを省略することもできる（図７および図８においては、緩衝押圧体１１６ａのみ省略している）。
【００６５】
また、上記実施形態においては、電子ハイハット１００は、弾性抵抗体１０３と下降抵抗体１３７とをそれぞれ別体で構成した。しかし、弾性抵抗体１０３と下降抵抗体１３７とは、互いに一体的に構成することができる。例えば、下降抵抗体１３７は、ゴム材または弾性変形可能な発泡樹脂材（例えば、ウレタン樹脂など）などのエラストマ材を用いて構成することにより、弾性抵抗体１０３を兼ねることができる。すなわち、下降抵抗体１３７は、必ずしもトップシンバル１０１の下降を完全に阻止するように構成される必要はない。
【００６６】
また、上記実施形態においては、弾性抵抗体１０３は、上下動ロッド１１１の外周部に配置して構成した。しかし、弾性抵抗体１０３は、上下動ロッド１１１の外周部以外の場所に配置することもできる。例えば、弾性抵抗体１０３は、ゴム材または発泡樹脂材を平板リングに形成してブッシュ１３６と下降抵抗体１３７との間に配置することもできる。
【００６７】
また、上記実施形態においては、弾性抵抗体１０３は、上下動ロッド１１１の外側にリング状に形成した。しかし、弾性抵抗体１０３は、必ずしもリング状に形成する必要はなく、上下動ロッド１１１の外側の一部に（一箇所または複数箇所）に設けることもできる。
【００６８】
また、上記実施形態においては、下降抵抗体１３７は、トップシンバル１０１の下降を阻止することにより間接的に上下動ロッド１１１の下降を一時的に阻止するように構成した。しかし、下降抵抗体１３７は、上下動ロッド１１１の下降範囲の途中に設けられて演奏者に対してペダル操作の妨げとなる程度の抵抗を上下動ロッド１１１に与えるように構成されていれば、必ずしも上記実施形態に限定されるものではない。したがって、下降抵抗体１３７は、例えば、上下動ロッド１１１に対してトップシンバル１０１以外の部品（例えば、反射体ホルダ１２０など）を介して上下動ロッド１１１の下降を一時的に阻止するように構成してもよいし、上下動ロッド１１１に対して直接接触して下降を一時的に阻止するように構成してもよい。
【００６９】
また、上記実施形態においては、上下動ロッド１１１の上下方向の変位を光センサ１３２および反射体１２１を用いて検出するように構成した。すなわち、光センサ１３２および反射体１２１が、本発明に係る上下位置検出器に相当する。しかし、上下位置検出器は、上下動ロッド１１１の上下方向の位置を検出することができれば、必ずしも上記実施形態に限定されるものではない。
【００７０】
この場合、上下位置検出器は、少なくとも、上下動ロッド１１１が上下動時において下降抵抗体１３７による抵抗を受ける上下方向上の位置および同位置よりも下方の位置を検出できればばよい。したがって、上下位置検出器は、上下動ロッド１１１の位置または変位を直接的または間接的に検出する光学的、機械的または磁気的な検出器で構成することができる。
【００７１】
また、上記実施形態においては、押圧体１１７は、クラッチ１１５の外周面にネジ嵌合するナットで構成した。しかし、押圧体１１７は、弾性抵抗体１０３を押圧するように形成されていれば、必ずしも上記実施形態に限定されるもではない。したがって、押圧体１１７は、例えば、上下動ロッド１１１の外周面に対して上下動ロッド１１１の軸方向に直交する方向（径方向）に直接的または間接的に張り出すフランジ状に形成して構成することができる。
【００７２】
また、上記実施形態においては、第２ストロークＳｔ２は、第１ストロークＳｔ１よりも短い３０ｍｍに形成した。しかし、第２ストロークＳｔ２は、３０ｍｍ以上に形成してもよいし、第１ストロークＳｔ１と同じまたはそれ以上の長さに形成することもできる。
【符号の説明】
【００７３】
Ｓｔ１…第１ストローク、Ｓｔ２…第２ストローク、
１００…電子ハイハット、１０１…トップシンバル、１０２…ベース体、１０２ａ…取付孔、１０２ｂ…裏面、１０２ｃ…取付部、１０２ｄ…支持部、１０３…弾性抵抗体、１０３ａ…変形部、１０３ｂ…連結部、１０４…振動センサ、１０５…パッド、１０６…裏面カバー、１０７…外部接続端子、
１１０…スタンド、１１１…上下動ロッド、１１２…固定パイプ、１１２ａ…支持台、１１３…ペダル、１１４…ベース台、１１４ａ…支持柱、１１５…クラッチ、１１５ａ…ロックネジ、１１６ａ，１１６ｂ…緩衝押圧体、１１７…押圧体、
１２０…反射体ホルダ、１２０ａ…胴部、１２０ｂ…保持部、１２１…反射体、
１３０…ボトム台座、１３１…固定支持体、１３２…光センサ、１３２ａ…発光部、１３２ｂ…受光部、１３３…プリント基板、１３４…外部接続端子、１３５…上側ケース、１３５ａ…覆い部、１３５ｂ…筒壁部、１３５ｃ…開口窓、１３６…ブッシュ、１３７…下降抵抗体。
【図１】
2018124536.tif 000003
【図２】
2018124536.tif 000004
【図３】
2018124536.tif 000005
【図４】
2018124536.tif 000006
【図５】
2018124536.tif 000007
【図６】
2018124536.tif 000008
【図７】
2018124536.tif 000009
【図８】
2018124536.tif 000010